(57)【特許請求の範囲】
【請求項１】
基礎面上に配設される複数の床支持ユニットと、該複数の床支持ユニットにより前記基礎面に対して所定の高さレベルに支持される複数の床下地材と、該複数の床下地材上に敷設される複数の床仕上材とを備えてなる床構造であって、
前記床支持ユニットは、回転工具による回転によって前記基礎面に対する前記床下地材の高さレベルを変化させる支持ボルトを有し、
前記床支持ユニットを跨ぐように隣接して設置された前記複数の床下地材間から前記回転工具を係合させる前記支持ボルトの係合部が露出し、前記複数の床下地材間の継ぎ目寸法が、前記支持ボルトの径よりも小さく、かつ前記回転ボルトを回転させる前記工具の径よりも大きいことを特徴とする床構造。
【請求項２】
前記床下地材が木材又は木質材料よりなることを特徴とする請求項１に記載の床構造。
【請求項３】
前記床支持ユニットは、前記基礎面上に配設される接床基台と、該接床基台に立設される支持脚と、該支持脚に支持されると共に前記床下地材を支持する支持板とを備え、
前記支持脚が、前記支持板に固定されたレベル調整用ナットと、該レベル調整用ナットに対して摺動可能に設けられ、前記接床基台に回動可能に保持された前記支持ボルトとを有することを特徴とする請求項１に記載の床構造。
【請求項４】
前記床支持ユニットを跨ぐように隣接して設置された前記複数の床下地材間の継ぎ目寸法が前記床下地材の長さ方向及び幅方向の少なくともいずれかにおいて一定であることを特徴とする請求項１に記載の床構造。
【発明の詳細な説明】
【技術分野】
【０００１】
本発明は、床構造に関し、特に、二重床構造に関する。
【背景技術】
【０００２】
基礎面上に立設された支持脚群によって床下地材を所定の高さレベルに支持して二重床の床下地を形成し、その上に捨張材を介して床仕上材を敷設した床構造は、乾式二重床構造と呼ばれ、集合住宅や体育施設等に多く採用されている（例えば、特許文献１参照）。
【先行技術文献】
【特許文献】
【０００３】
【特許文献１】特開平４−８５４５３号公報
【発明の概要】
【発明が解決しようとする課題】
【０００４】
しかしながら、特許文献１に開示された住宅用途の床構造をオフィス用途として転用する場合、捨張材の使用が施工工程の増加及びコスト増を招くことがあり、オフィス用途の床構造として適さない場合がある。これは、オフィス用途の床構造は、基礎面と床下地材との間の空間を各種電子機器の配線等の設置に用いることがあるため、前記配線の構成変更作業等の際に、その都度捨張り材を外す必要が生じ、前記作業が煩雑になるためである。
【０００５】
そこで、金属製又はコンクリート製の床下地材を用いることで捨張材が不要な床構造を提供することができる。この金属製又はコンクリート製の床下地材を用いた床構造は、捨張材を用いなくても、床下地材間の継ぎ目（以下、目地ということがある。）をほぼなくすことができるという利点があるからである。また、金属製又はコンクリート製の床下地材は、軽量化及び施工時の加工容易性においても利点がある。
【０００６】
しかし、近年では、自然環境への配慮から、製造過程におけるＣＯ２発生量が少ないという理由で、住宅用途の床構造と同様に、オフィス用途の床構造にも床下地材に木材を用いることが推奨されてきている。特に、オフィスをはじめとした多くの人が集まる公共の空間では、環境や人の健康への十分な配慮と、高い機能性、安全性、及び快適性が求められることからも、床下地材に木材を用いることが推奨されてきている。これに則して目地に隙間ができないように床下地材を配設すると、木材は温度や湿度などの環境変化による寸法変化が金属やコンクリートに比べて著しいため、膨張した床下地材同士が押し合い、目地部分で隆起したり、目地の幅が大きくなることがある。その結果、歩行者が目地部分で躓きやすくなったり、ハイヒールのかかと部分が目地に嵌って歩行者の歩行に危険を及ぼす可能性がある。また、目地にある程度以上の隙間ができると、その隙間に応じて、床下地材上に敷設された床仕上材にも隙間や、目地に埋没した凹みが生じるため、美観もよくなかった。さらに、目地に隙間ができないように床下地材を配設すると、床下地材を張った後に支持脚の高さレベルの調整ができないため、支持脚の高さレベルの調整をするための切欠部を床下地材に設ける必要があり、これも製造コストの増加を招いていた。
【０００７】
そこで、基礎面上に立設された支持脚群上に設置する床下地材に木材を用い、複数の床下地材を張った後に支持脚の高さレベルの調整ができ、切欠部の形成や床下地材に金属・コンクリートを用いることによるコスト上昇を避けながらも、安全性を確保した床構造が求められてきた。
本発明は上記した従来技術の問題を解決するためになされたものであり、その目的は、木材を用いた床下地材を張った後に、支持脚の高さレベルの調整ができ、製造コスト及び施工工程の増加を抑制し、美観もよく、かつ安全性を確保した床構造を提供することにある。
【課題を解決するための手段】
【０００８】
上記課題を解決するための本発明の請求項１に記載の床構造は、基礎面上に配設される複数の床支持ユニットと、該複数の床支持ユニットにより前記基礎面に対して所定の高さレベルに支持される床下地材と、該床下地材上に敷設される床仕上材とを備えてなる床構造であって、
前記床支持ユニットは、回転工具による回転によって前記基礎面に対する前記床下地材の高さレベルを変化させる支持ボルトを有し、
前記床支持ユニットを跨ぐように隣接して設置された前記床下地材間から前記回転工具を係合させる前記支持ボルトの係合部が露出し、前記複数の床下地材間の継ぎ目寸法が、前記支持ボルトの径よりも小さく、かつ前記支持ボルトを回転する前記回転工具の径よりも大きいことを特徴としている。
【０００９】
また、請求項２に記載の床構造は、請求項１に記載の床構造において、床下地材が木材又は木質材料よりなることを特徴としている。
また、請求項３に記載の床構造は、請求項１に記載の床構造において、前記床支持ユニットは、前記基礎面上に配設される接床基台と、該接床基台に立設される支持脚と、該支持脚に支持されると共に前記床下地材を支持する支持板とを備え、
前記支持脚が、前記支持板に固定されたレベル調整用ナットと、該レベル調整用ナットに対して摺動可能に設けられ、前記接床基台に回動可能に保持された前記支持ボルトとを有することを特徴としている。
【００１０】
また、請求項４に記載の床構造は、請求項１に記載の床構造において、前記床支持ユニットを跨ぐように隣接して設置された前記複数の床下地材間の継ぎ目寸法が前記床下地材の長さ方向及び幅方向の少なくともいずれかにおいて一定であることを特徴としている。
【発明の効果】
【００１１】
本発明によれば、床下地材間の継ぎ目寸法を、前記支持ボルトの径よりも小さく、かつ前記支持ボルトを回転する前記回転工具の径よりも大きくしたので、木材を用いた床下地材を張った後に、支持脚の高さレベルの調整ができ、製造コスト及び施工工程の増加を抑制し、美観もよく、かつ安全性を確保した床構造を提供することができる。
【図面の簡単な説明】
【００１２】
【図１】本発明に係る床構造の一実施形態における構成を示す斜視図である。
【図２】図１に示す床構造に備えられる床支持ユニットの側面断面図である。
【図３】図２に示す床支持ユニットを用いて敷設された床下地材の配置形態の一例を示す概略部分の平面図である。
【発明を実施するための形態】
【００１３】
以下、本発明に係る床構造の一実施形態について図面を参照して説明する。
（床構造の構成）
図１は、本発明に係る床構造の一実施形態における構成を示す斜視図である。図２は、図１に示す床構造に備えられる床支持ユニットの側面断面図である。図３は、図２に示す床支持ユニットを用いて敷設された床下地材の配置形態の一例を示す概略部分の平面図である。
図１に示すように、床構造１は、オフィスや商業施設等の各種建物において設置され、コンクリートスラブ等の基礎面２の床面上に配設される複数の床支持ユニット１０と、床支持ユニット１０に支持される床下地材２０と、床下地材２０上に直接敷設される床仕上材３０とを備えてなる。
【００１４】
＜床支持ユニット＞
各床支持ユニット１０は、図１及び図２に示すように、基礎面２上に配設される接床基台１１と、接床基台１１に立設される支持脚１２と、支持脚１２に支持される支持板１５とを備えてなる。
［接床基台］
接床基台１１は、図２に示すように、略円筒状に形成されている。接床基台１１の材質は、後述するように、支持ボルト１３の回動を妨げることなく支持ボルト１３を保持しうるものであれば、目的に応じて適宜選択されるが、ゴム等の弾性材料が好ましい。
接床基台１１の上部には、内側に折曲した複数（例えば４個）の押え部１１ａが突設される。この押え部１１ａは、該押え部１１ａの内側に支持ボルト１３の鍔部１３ａ（後述）を受ける凹部１１ｂを有する。
なお、接床基台１１は、基礎面２上において、所定間隔で接着等により基礎面２に接床基台１１の下面が固定されて設置される。
【００１５】
［支持脚］
支持脚１２は、図２に示すように、接床基台１１に回動自在に立設された支持ボルト１３と、支持ボルト１３の上端部が螺合されるレベル調整用ナット１４とを備えてなる。
支持ボルト１３は、図２に示すように、比較的短い中空パイプから形成されている。支持ボルト１３の下端部には、側方に突出する環状の突出部（鍔部）１３ａが座屈成形されている。支持ボルト１３の外周面の上端部には、上端から所定長さだけ雄ネジ部１３ｂが形成されている。支持ボルト１３の上端面１３ｃには、ドライバー、電動ドライバー等の回転工具４０の先端を係合させる溝状の係合部１３ｄが形成されている。
【００１６】
そして、支持ボルト１３の下端部が座屈成形されて先端に形成された鍔部１３ａを接床基台１１の凹部１１ｂに挿入、配座させることにより、支持ボルト１３が接床基台１１に回動自在に立設されると共に、押え部１１ａにより支持ボルト１３の接床基台１１からの抜けが防止される。
レベル調整用ナット１４は、図２に示すように、支持ボルト１３と螺合する比較的短い中空パイプから形成されている。レベル調整用ナット１４の内周面の下端部には、支持ボルト１３の雄ネジ部１３ｂに螺合する雌ネジ部１４ａが前記下端部から所定長さだけ形成されている。また、レベル調整用ナット１４の外周面の上下方向略中央部には、環状の支持部１４ｂが突設されている。
そして、支持脚１２は、レベル調整用ナット１４の雌ネジ部１４ａに支持ボルト１３の雄ネジ部１３ｂの上端部を螺合することによって、支持脚１２の全長（支持ボルト１３の下端部からレベル調整用ナット１４の上端部までの長さ）が可変となるように構成される。
【００１７】
［支持板］
支持板１５は、木材又は木質材料を略方形の平板状に形成したものである。ここで、前記木質材料とは、微細化又は薄板状にした木材を、接着剤等を用いて再構成した複合材料である。すなわち、主原料として木材を使用しているが、これを天然のまま用いるのではなく、種々の処理を施して新しく製造した木質系材料又は木質資源材料を意味するものである。木質材料としては、例えば、パーティクルボード、積層合板、木質繊維板等が挙げられる。ここで、前記合板とは、木材の単板を接着剤等で貼り合わせたものである。また、前記木質繊維板とは、チップ状の木片を高温で煮詰めて解繊し、その繊維をからみ合わせ抄造させ、乾燥させて板状にしたものである。
【００１８】
そして、図２に示すように、支持板１５の上下方向から見た略中央部には、レベル調整用ナット１４の上部が嵌合される挿入孔１５ａが設けられている。
また、図２に示すように、支持脚１２と支持板１５とは、支持板１５の挿入孔１５ａに支持脚１２のレベル調整用ナット１４の上端部を嵌合し、支持板１５の下面をレベル調整用ナット１４の支持部１４ｂにより支持することにより組み合わされる。
【００１９】
そして、上記のようにして構成された床支持ユニット１０は、支持ボルト１３の上端面に形成された係合部１３ｄにドライバー等の回転工具４０の先端部を嵌め込み、支持ボルト１３が回転工具４０によって回転されることにより、レベル調整用ナット１４に支持されている支持板１５が上下方向に移動される。これにより、支持板１５により支持された床下地材２０の基礎面２に対する高さレベルを調整することが可能となっている。
【００２０】
＜床下地材＞
床下地材２０としては、木材又は木質材料が用いられる。木質材料としては、例えば、パーティクルボード、ハードボード、高密度繊維板、合板等が挙げられる。そして、床下地材２０は、図２に示すように、床支持ユニット１０の支持板１５の上面に接着剤、釘等により固定され、基礎面２に対して所定の高さレベルで支持される。
＜床仕上材＞
床仕上材３０としては、合成樹脂製クッションシート、絨毯、カーペット、タイルカーペット等を用いることが可能である。図１に示した床仕上材３０は、タイルカーペットの例である。
【００２１】
（設置形態例）
次に、床構造１の設置形態例を説明する。
＜床支持ユニットの設置＞
床構造１の設置においては、まず、複数の床支持ユニット１０を、基礎面２上に、床下地材２０の形状に対応した所定のピッチで設置する。例えば、図３に示すように、床下地材２０の寸法を、長さ１８２０ｍｍ×幅４５０ｍｍとした場合、幅方向に隣接する床下地材２０，２０を支え、床下地材２０の長さ方向に５つの床支持ユニット１０が配設される。これら５つの床支持ユニット１０のうち、最も外側の２つは、長さ方向に隣接する床下地材２０も兼ねて支持するように配設される。これら床下地材２０の長さ方向に配設される床支持ユニット１０の間隔は、例えば、４５７ｍｍである。
【００２２】
＜床下地材の設置＞
そして、床下地材２０を、各床支持ユニット１０の支持板１５上に、各支持板１５により床下地材２０の縁部を支持させた状態で設置する。この場合において、床下地材２０は、各支持ボルト１３の係合部１３ｄが床下地材２０の縁部から露出するように所定の間隙（継ぎ目寸法Ｄ）を開けて設置される。このとき、隣接する床下地材２０，２０の継ぎ目寸法Ｄは、床下地材２０，２０の長さ方向及び幅方向の少なくともいずれかにおいて一定であることが好ましい。この「一定」とは、床下地材２０，２０の長さ方向及び幅方向の少なくともいずれかにおける最小間隔がｄ２よりも大きく、床下地材２０，２０の長さ方向及び幅方向の少なくともいずれかにおける最大間隔がｄ１よりも小さいと定義される。各床支持ユニット１０の支持板１５と床下地材２０との固定は、粘着シート５０等を用いて行われる。なお、床下地材４の配置形態は、図３に示すように平行に配列してもよいし、千鳥状に配列してもよい。
【００２３】
＜床下地材の高さレベル調整＞
そして、各床支持ユニット１０の支持板１５の上方から回転工具４０を挿入し、係合部１３ｄを介して支持ボルト１２ａを回転させて、支持板１５により支持された複数の床下地材２０，２０の高さレベルを調整する。
このような作業を床下地材２０ごと繰り返し、床下地材２０を基礎面２上において一様に敷設するとともに、床下地材２０の基礎面２に対する高さレベルを所定の高さとなるように調整する。
【００２４】
［床下地材間の寸法］
床支持ユニット１０を跨ぐように隣接して設置された床下地材２０，２０間の継ぎ目寸法Ｄは、支持ボルト１３の径ｄ１よりも小さく、かつ支持ボルト１３を回転させる回転工具４０の径ｄ２よりも大きい。すなわち、床下地材２０，２０間の継ぎ目寸法Ｄは、少なくとも床下地材２０，２０間に回転工具４０が入って支持ボルト１３を回転可能な余地があり、かつ床下地材２０，２０間に支持ボルト１３が入らない寸法に設定される。床下地材２０，２０間の継ぎ目寸法Ｄの具体的な寸法としては、例えば、７ｍｍ〜９ｍｍである。なお、床下地材を張った後に支持ボルトの高さレベル調整ができる従来の床構造における床下地材間の継ぎ目寸法は、一般的に、１２ｍｍ〜１５ｍｍである。
【００２５】
ここで、床下地材２０，２０間の継ぎ目寸法Ｄを支持ボルト１３の径ｄ１よりも小さくしたことで、支持ボルト１３を回転工具４０で回転させて支持脚１２の全長を短くしたい場合に、支持ボルト１３の上端部が床下地材２０，２０に当たり、ある程度以上に床下地材２０のレベル高さを低くすることができなくなることがある。そのような場合は、全長が短い支持ボルト１３に交換してその支持ボルト１３を回転工具４０で回転させて床下地材２０のレベル高さを調整する。
【００２６】
このような継ぎ目寸法Ｄで隣接する床下地材２０，２０を設置することにより、「床仕上材が目地に埋没しない」、「床仕上材の下にベニヤなどの捨張材を敷く必要がなく、工程が短縮される」、「ハイヒールのかかと部分が目地に嵌らない」、「床下地材を張った後に支持ボルトの高さレベル調整ができる」、「切欠部の形成等による製造コストの増加を抑制できる」といった効果を奏する。そして、その結果として、木材を用いた床下地材を張った後に、支持脚の高さレベルの調整ができ、製造コスト及び施工工程の増加を抑制し、美観もよく、かつ安全性を確保した床構造を提供することができる。
【００２７】
＜床仕上材の設置＞
そして、床下地材２０の上に床仕上材３０を一様に敷設して、床構造１の設置を完了する。
以上、本発明の実施の形態について説明してきたが、本発明はこれに限定されずに、種々の変更、改良を行うことができる。例えば、本実施形態では、支持脚１２を構成する支持ボルト１３とレベル調整用ナット１４とは中空構造をなしているが、本発明の目的に応じて、中空ではない構造の支持ボルト１３又はレベル調整用ナット１４を用いてもよい。
【符号の説明】
【００２８】
１  床構造
２  基礎面
１０  床支持ユニット
１２  支持脚
１３  支持ボルト
１４  レベル調整用ナット
１５  支持板
２０  床下地材
３０  床仕上材
【図１】
0005823788.tif 000002
【図２】
0005823788.tif 000003
【図３】
0005823788.tif 000004